(57)【特許請求の範囲】
【請求項１】
本体キャビネットの庫内に商品を冷蔵、温蔵状態に区分して保存し、外扉の背面に開閉可能に取付けられた中扉により画成されたディスプレイ室を有し、当該ディスプレイ室に配設されたディスプレイ台に複数の商品見本を展示してなる自動販売機であって、前記ディスプレイ室内に展示された商品見本の背後に配置され、前記商品見本群の冷温状態の一方の冷温情報を表示する帯状の冷温情報表示体を備え、前記冷温情報表示体を左右方向に移動自在に配設してなる自動販売機において、前記中扉は磁性体材料からなり、前記冷温情報表示体は中扉の左右の一方端部に配設された支持部材に巻取りおよび引き出し可能に巻装され、その先端に磁石を有し、前記支持部材は冷温情報表示体の引き出しを阻止するストッパ機構を有することを特徴とする自動販売機。
【請求項２】
請求項１に記載の自動販売機において、支持部材は上下方向に延在する軸部と、この軸部を支持するとともに中扉に固着される本体枠と、この本体枠に装着されるとともに冷温表情報示体を手動操作する開口が形成されたカバーとからなり、前記軸部と本体枠とを相互に係合させてストッパ機構としてなることを特徴とする自動販売機。
【発明の詳細な説明】
【技術分野】
【０００１】
この発明は、自動販売機における庫内に缶入り飲料、壜入り飲料、ペットボトル入り飲料などの商品を冷蔵、温蔵状態に区分して保存し、外扉のディスプレイ室内に設置したディスプレイ台上に複数の商品見本を左右に並べて展示し、該商品見本に対応して商品の冷温状態を表示するようにした自動販売機に関する。
【背景技術】
【０００２】
自動販売機の外扉には販売する商品の商品見本を展示するためディスプレイ室が設けられ、前記商品見本はディスプレイ室内に設置したディスプレイ台上に左右に並べて展示されている。このディスプレイ台に展示された商品見本の価格情報や冷温情報などの商品情報を表示するためディスプレイ台には価格情報を表示する価格情報表示体や冷温情報表示体が設けられている。この種の従来の自動販売機を図１０，図１１を用いて説明する。
図に示すように、この自動販売機は、前面が開放した断熱筐体として形成された本体キャビネット１０と、本体キャビネット１０の前面に開閉可能に支持された外扉２０とからなる。本体キャビネット１０における商品収納庫の前面は開閉可能な断熱内扉３０によって閉塞されている。本体キャビネット１０の庫内には、断熱仕切壁により左右方向に複数の商品収納室に区分され、各商品収納室は、缶入り飲料、ペットボトル入り飲料などの商品を収納するとともにその下端に商品選択ボタンの操作により商品を搬出する商品払出機構を有する商品収納ラックが収設され、また、各商品収納室の下部には、当該各商品収納室を冷却もしくは加熱して商品収納ラックに収納した商品を冷却または加熱する冷却／加熱ユニットが配設されている。
【０００３】
前記外扉２０の前面の上部域は透明板４０で覆われ、この透明板４０と外扉２０に開閉可能に軸支された中扉６０との間の空間がディスプレイ室５０として形成されている。前記中扉６０の前面には、本体キャビネット１０の庫内に収容した商品に対応した複数の商品見本８０を左右に一列に並べて載置したディスプレイ台７０が上下方向に３段取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン（不図示）を有している。前記商品選択ボタンには売り切れランプおよび販売可能ランプが内蔵されている。また、前記外扉２０の前面には硬貨投入部２１の投入口、紙幣投入部２２の投入口、釣銭返却部２３の返却口、商品取出口２４に加え、不図示の返却レバーおよびロック付ハンドル（ロック装置）などが設けられている。さらに、前記外扉２０の背面には硬貨投入部２１の投入口に連通したコインメカニズム２５、このコインメカニズム２５に連通した金庫２６、紙幣投入部２２の投入口に連通した紙幣識別装置２７などが設けられている。なお、ディスプレイ室５０の上部およびディスプレイ台７０の下部には商品見本８０などを明るく照らす照明光源としての蛍光灯（不図示）が配設されている。
【０００４】
かかる自動販売機はキー操作によりロック付ハンドル（ロック装置）を鎖錠して外扉２０を閉じた状態で商用電源からの電力供給を受けてディスプレイ室５０内の蛍光灯を点灯制御することにより商品見本８０などを明るく照らし出すとともに冷却／加熱ユニットを運転制御することにより庫内の商品を冷却／加熱する。硬貨または紙幣が投入されるとコインメカニズム２５または紙幣識別装置２７で識別して投入金額を積算するととともにこの投入金額と商品価格とを比較して商品選択ボタンの販売可能ランプを点灯制御する。商品選択ボタンが操作されると対応する商品収納ラックに搭載された商品払出機構に販売信号を供給する。この販売信号に基づいて前記商品払出機構はソレノイドの励磁・釈放動作により商品収納ラックに収納した商品を１個づつ搬出する。なお、投入金額と商品価格と投入金額とを演算して投入金額が商品価格を超えている場合にはコインメカニズム２５を制御して釣銭を払い出す。
【０００５】
前記外扉２０に区画形成されたディスプレイ室５０に配設されたディスプレイ台７０を図１１に示す。図１１はディスプレイ台７０を分解して示す分解斜視図である。
【０００６】
図においてディスプレイ台７０は、光透過材料からなる商品見本８０（図１０参照）を載置する載置台７１と図では隠れて見えない左右一対の固定部材からなる。前記載置台７１は上面部７１１と、この上面部７１１の両端から下方に延在された左右側壁７１２，７１２、および前面部７１３を有し、底面部と背面部が開放するように形成されている。前記左右側壁７１２，７１２の内側に位置してこの左右側壁７１２，７１２により隠れて見えない前記左右一対の固定部材は図１０に示した中扉６０に固着され、この固定部材を覆うように載置台７１が取付けられる。前記上面部７１１には透明材料からなる商品見本８０が嵌合保持される開口部７１４が左右方向に複数、この例では１２個並設されている。また、前記載置台７０の前面部７１３には各商品見本８に対応して複数、この例では１２個の透光穴７１５が設けられ、そして、この前面部７１３の下端には前方側に折り返して形成したガイド部７１６が長手方向に延在して設けられている。
【０００７】
前記載置台７１の前面部７１３に形成したガイド部７１６には冷温表示板７２と価格情報表示体７３が前後に重ねて取付けられる。冷温表示板７２は載置台７１の前面部７１３の左右方向に沿うように横長の短冊状に形成され、自動販売機の商品収納室（図示せず）に収納した商品の冷蔵、温蔵状態を表す冷温パターン、例えば、商品の冷蔵状態を表す冷温パターンとして白抜きの文字（例えば「ＣＯＬＤ」）の背景に寒色の背景色（例えば青色）の印刷と、商品の温蔵状態をあらわす冷温パターンとして白抜きの文字（例えば「ＨＯＴ」）の背景に暖色の背景色（例えば赤色）の印刷が施されている。価格情報表示体７３は冷温表示板７２の幅に略一致する幅の短冊状に形成された光透過板からなり、その前面の上方域には商品の価格情報を表す価格パターン７３１（例えば「￥１２０」の文字）が印刷してあり、下方域には開口７３２が形成されており、この開口７３２から冷温表示板７２の冷温パターンが表示される。
【０００８】
前記ディスプレイ台７０における載置台７１の下方には蛍光灯７４が配設される。この蛍光灯７４は、中扉６０に係止される左右一対の蛍光灯取付金具７４１に設けたソケット７４２に取付けられる。この蛍光灯７４の光が載置台７１の開口部７１４を通して光透過材料からなる商品見本８０の内部に導入され、商品見本８０が内部から照明される。また、上段のディスプレイ台７０の下部に配設された蛍光灯７４によって商品見本８０は上方からも照明される。最上段のディスプレイ台７０に載置された商品見本８０はディスプレイ室５０の上方に配置した蛍光灯（不図示）によって上方から照明される。
【０００９】
ところで、この種の自動販売機では庫内に保存される商品の冷蔵、温蔵状態の割合は季節に応じて変更されることから、ディスプレイ台７０に載置された商品見本８０の冷温状態を表示する冷温表示板７２も季節の変わり目ごと、すなわち、庫内商品の冷蔵、温蔵状態を変更する都度対応する冷温パターンを表示したものに取り替えるため、複数種類の冷温パターンを印刷した冷温表示板７２を用意し、この冷温表示板７２をディスプレイ台７０に差し込むようにしたものが知られている（例えば、特許文献１）。また、ディスプレイ台７０に展示される商品見本８０の冷温状態を強調するために商品見本８０の背景色を冷温状態に応じた色彩（例えば、青色、赤色）とすることも知られている。その一例として青色、赤色の背景色が施された冷温表示パネルを設け、この冷温表示パネルを商品見本８０の背後に設置するようにしたものがある（例えば、特許文献２）。この特許文献２に記載された発明はディスプレイ台７０が装着される中扉６０が鉄板により形成されていることを利用し、冷温表示パネルに磁石を設け、この磁石の吸着力で冷温表示パネルを中扉６０に吸着保持するように構成されている。
【００１０】
前記特許文献１に記載された発明のようにディスプレイ台７０に装着された冷温表示板７２はディスプレイ台７０に載置された複数の商品見本の冷温状態を個別に表示し、自動販売機の利用者が商品を選択する際の判断材料となる。しかしながら、自動販売機から離れた場所、或いは遠方からは冷温表示板７２の冷温パターンを目視することが困難である。一方、特許文献２に記載された発明のように商品見本８０の背後に冷温状態を表す着色が施された冷温表示パネルを配置したものでは遠方からでも冷温状態を把握することができるとともに人目を惹き付けることから自動販売機の集客力に優れており、販売促進に寄与するものである。
【先行技術文献】
【特許文献】
【００１１】
【特許文献１】特開２００２−１３３５０３号公報
【特許文献２】特開２００２−１０９６２４号公報
【発明の概要】
【発明が解決しようとする課題】
【００１２】
前記特許文献２に記載された発明は販売促進に寄与するが、次の点において解決すべき課題を有する。すなわち、自動販売機の庫内に保存される商品の冷蔵、温蔵状態は季節の変わり目ごとに変更され、これに伴ってディスプレイ台に載置された商品見本群の冷温区分も変更されることから、商品見本の冷温状態を表す着色が施された冷温表示パネルも商品見本群の冷温区分に応じた新たな冷温表示パネルに取り替える必要がある。ところが、前記冷温表示パネルは商品見本の背後に設置されていることからディスプレイ台に商品見本を装着した状態では上下に隣接するディスプレイ台および商品見本が邪魔となって冷温表示パネルを取り替えることができない。このため、冷温表示パネルを取り替えるには商品見本をディスプレイ台から取り外すか、ディスプレイ台自体を中扉から取り外さねばならず、冷温表示パネルの交換作業が煩雑で手間がかかるという課題を有する。このため、商品見本の冷温状態を表す着色が施されたフィルムを両面テープなどにより中扉に貼り付けることも考えられるが、商品見本を装着した状態において商品見本の背後にフィルムを通して貼り付けるには手間がかかるとともに外気温が高い場合には両面テープの粘着力が低下することによりフィルムが剥れて自動販売機の外観を損なうおそれがあるという問題を有する。
【００１３】
本発明は上記の点に鑑みなされたものであり、その目的は前記課題を解決し、簡単な構成により商品見本群の冷温状態を強調する冷温表示を行うことが可能な自動販売機を提供することにある。
【課題を解決するための手段】
【００１４】
上記目的を達成するために請求項１にかかる発明は、本体キャビネットの庫内に商品を冷蔵、温蔵状態に区分して保存し、外扉の背面に開閉可能に取付けられた中扉により画成されたディスプレイ室を有し、当該ディスプレイ室に配設されたディスプレイ台に複数の商品見本を展示してなる自動販売機であって、前記ディスプレイ室内に展示された商品見本の背後に配置され、前記商品見本群の冷温状態の一方の冷温情報を表示する帯状の冷温情報表示体を備え、前記冷温情報表示体を左右方向に移動自在に配設してなる自動販売機において、前記中扉は磁性体材料からなり、前記冷温情報表示体は中扉の左右の一方端部に配設された支持部材に巻取りおよび引き出し可能に巻装され、その先端に磁石を有し、前記支持部材は冷温情報表示体の引き出しを阻止するストッパ機構を有することを特徴とする。
【００１６】
さらに、請求項２に係る発明は、請求項１に記載の自動販売機において、支持部材は上下方向に延在する軸部と、この軸部を支持するとともに中扉に固着される本体枠と、この本体枠に装着されるとともに冷温表情報示体を手動操作する開口が形成されたカバーとからなり、前記軸部と本体枠とを相互に係合させてストッパ機構としてなることを特徴とする。
【発明の効果】
【００１７】
請求項１に係る発明によれば、本体キャビネットの庫内に商品を冷蔵、温蔵状態に区分して保存し、外扉の背面に開閉可能に取付けられた中扉により画成されたディスプレイ室を有し、当該ディスプレイ室に配設されたディスプレイ台に複数の商品見本を展示してなる自動販売機であって、前記ディスプレイ室内に展示された商品見本の背後に配置され、前記商品見本群の冷温状態の一方の冷温情報を表示する帯状の冷温情報表示体を備え、前記冷温情報表示体を左右方向に移動自在に配設してなる自動販売機において、前記中扉は磁性体材料からなり、前記冷温情報表示体は中扉の左右の一方端部に配設された支持部材に巻取りおよび引き出し可能に巻装され、その先端に磁石を有し、前記支持部材は冷温情報表示体の引き出しを阻止するストッパ機構を有することにより、支持部材から引き出した冷温情報表示体の先端に設けた磁石を中扉に吸着させることにより商品見本の背景色を商品見本群の冷温状態に応じた背景色に簡単に変更することができるとともに冷温情報を変更する際には冷温情報表示体の先端に設けた磁石を中扉から引き外して冷温情報表示体を支持部材に巻取るか、若しくは引き出して所定箇所において磁石を中扉に吸着させれば良く、この場合には支持部材の個数を削減することができることは勿論のこと、横幅の異なる複数種類の機種の自動販売機に共通に使用することができる。
【００１８】
また、請求項２若しくは請求項３に係る発明によれば、引き出した冷温表示体を垂れ下がることなくぴんと張った状態に維持することができるので美観を損なうことがないという効果を有する。
【図面の簡単な説明】
【００１９】
【図１】本発明の実施の形態１にかかる自動販売機の主要部を示すディスプレイ台が配設された中扉の斜視図である。
【図２】図１における冷温情報表示体と支持部材を示し、（ａ）はその組立状態の斜視図、（ｂ）その分解斜視図である。
【図３】本発明の実施の形態２にかかる自動販売機の主要部を示すディスプレイ台が配設された中扉の斜視図である。
【図４】図４における冷温情報表示体、支持部材およびベース部材の分解斜視図である。
【図５】本発明の実施の形態２にかかる自動販売機の主要部を示すディスプレイ台が配設された中扉の斜視図である。
【図６】本発明の実施の形態３にかかる自動販売機の主要部を示すディスプレイ台が配設された中扉の斜視図である。
【図７】図６における広告表示部材を示し、（ａ）はその広告表示部材の斜視図、（ｂ）は広告表示部材を冷温情報表示体に装着した状態の斜視図である。
【図８】本発明の実施の形態４にかかる自動販売機の主要部を冷温情報表示体および支持部材の斜視図である。
【図９】図８における要部を拡大して示す斜視図である。
【図１０】本発明が対象とする自動販売機の一例を示す斜視図である。
【図１１】従来装置におけるディスプレイ台の分解斜視図である。
【発明を実施するための形態】
【００２０】
以下、本発明の実施の形態を図面に基づいて詳細に説明する。
（実施の形態１）
図１および図２は本発明の実施の形態１の自動販売機を示し、図１はその主要部であるディスプレイ台が配設された中扉６０を示す斜視図、図２は図１に示す冷温情報表示体およびその支持部材を示し、（ａ）はその組立状態の斜視図、（ｂ）はその分解斜視図である。なお、この実施の形態の図中で図１０、図１１に対応する部材には同一の符号を付してその詳細な説明は省略する。
【００２１】
図１において、６０で再び中扉を示し、この中扉６０は図１０に示した外扉２０に開閉可能に軸支されるとともに外扉２０の前面の上部域に設けた透明板４０との間にディスプレイ室５０を形成するものである。前記中扉６０の前面には上下方向に３段のディスプレイ台７０が取付けられている。このディスプレイ台７０には本体キャビネット１０（図１０参照）の庫内に冷蔵、温蔵状態で保存された商品に対応した複数の商品見本８０が左右に一列に並べて載置されている。図１において、１は本発明により付加された冷温情報表示体であり、２が前記冷温情報表示体１を保持するための支持部材である。
【００２２】
前記冷温情報表示体１は可撓性を備えたプラスチック材料により環状に形成され、ディスプレイ台７０に載置された商品見本群に対応して中扉６０の左右の端部に配設された支持部材２に掛け渡して取付けられている。前記冷温情報表示体１の表面には庫内の商品の冷蔵、温蔵状態に応じた冷温情報を表す背景色が印刷されている。すなわち、冷温情報表示体１の表面には冷蔵して保存される商品に対応する寒色の背景色（例えば青色）の印刷と、温蔵して保存される商品に対応する暖色の背景色（例えば赤色）の印刷が施されている。これらの色彩の異なる背景色は冷温情報表示体１の半周ごとに区分して印刷されている。
【００２３】
一方、前記支持部材２は、図２に示すように、上下方向に延在した軸部３と、この軸部３を支持するとともに中扉６０に固着される本体枠４と、この本体枠４に装着されるとともに冷温情報表示体１を手動操作する開口部５Ａが形成されたカバー５とにより形成されている。なお、支持部材２は中扉６０の左右端部にそれぞれ配設されるが、各支持部材２は左右相称であることから図２では代表して（図１において）左端の支持部材２を示している。
【００２４】
図２において、前記軸部３は冷温情報表示体１が巻き掛けられる円筒状のドラム３Ａと、このドラム３Ａの両端から上下に突出するシャフト３Ｂとからなる。前記本体枠４は短冊状の薄板鋼板からなり、その平板状の基部４Ａの上下両端を折り曲げて軸受部４Ｂ，４Ｂが形成され、この軸受部４Ｂ，４Ｂにはディスプレイ室の外側方向に開口した軸受穴４Ｂ１，４Ｂ１がそれぞれ形成されている。前記本体枠４における基部４Ａのディスプレイ室内側の縁には冷温情報表示体１を案内するガイド４Ｃが形成され、このガイド４Ｃの上下両端にはカバー５を固定するねじ穴４Ｃ１がそれぞれ形成されている。また、前記基部４Ａにおけるディスプレイ室の外側方向の縁には後述するカバー５の係止片４Ａ１，４Ａ１が切り起しにより形成され、さらに基部４Ａの四隅にはそれぞれねじ挿通穴４Ａ２が形成されている。前記カバー５は薄板鋼板からなり、展開状態で平板状の薄板鋼板を山形に折り曲げて形成され、稜線の一部を切り欠いて開口部５Ａが形成されている。また、カバー５の一方の脚片（ディスプレイ室の内側に位置する脚片）にはねじの挿通穴５Ａ１が形成されるとともに他方の脚片には前記基部４Ａの係止片４Ａ１，４Ａ１と係合する係合穴（不図示）が形成されている。
【００２５】
次に、前記冷温情報表示体１と支持部材２の中扉６０への組付けについて説明する。まず、左右一対の支持部材２の一方、この場合図２を参照すれば中扉６０の左端側の支持部材２を構成する本体枠４を中扉６０の所定位置に設置し、その設置状態を保持しつつ基部４Ａの四隅に設けたねじ挿通穴４Ａ２を介してねじ（不図示）により中扉６０に固着する。次いで、環状の冷温情報表示体１の輪の中を通した軸部３のシャフト３Ｂを中扉６０に固着した本体枠４の軸受部４Ｂ，４Ｂにおける軸受穴４Ｂ１，４Ｂ１に挿入する。最後に、前述したようにして本体枠４に組付けられた軸部３を覆うようにカバー５を組付ける。この場合、カバー５の他方の脚片に形成した係合穴（不図示）を本体枠４の基部４Ａに設けた係止片４Ａ１，４Ａ１に係合させつつ軸部３を覆うように被せ、次いでカバー５の一方の脚片に形成したねじ挿通穴５Ａ１にねじ（不図示）を通して当該ねじを本体枠４のガイド４Ｃに形成したねじ穴４Ｃ１に捻じ込むことによってカバー５が本体枠４に固着される。このようにカバー５を組付けた状態ではカバー５の他方の脚片が軸受４Ｂに形成した軸受穴４Ｂ１の開放端部を閉塞して軸部３の脱落を防止する。
【００２６】
図２に示した支持部材２と反対側（図１における中扉６０の右端側）の支持部材２の中扉６０への組付けは、冷温情報表示体１の輪の中を通した軸部３を本体枠４の軸受部４Ｂ，４Ｂに形成した軸受穴４Ｂ１，４Ｂ１に挿入して本体枠４に軸部３を組付ける。前記軸部３を組付けた本体枠４を中扉６０の右端側の所定位置に設置する。この場合、所定位置とは本体枠４を設置した際、冷温情報表示体１が垂れ下がらないようにぴんと張った状態を維持できる位置を示している。前述したように設置された本体枠４を保持しつつ、本体枠４の基部４Ａの四隅に形成したねじ挿通穴４Ａ２を介してねじにより本体枠４を中扉６０に固着する。ここで、本体枠４の基部４Ａは冷温情報表示体１の幅よりも大きく形成されており、冷温情報表示体１（軸部３）を本体枠４に組付けた状態において当該冷温情報表示体１が占有する領域から食み出した基部４の四隅にねじ挿通穴４Ａ２が形成されていることから冷温情報表示体１（軸部３）を本体枠４に組付けた状態においてもねじにより本体枠４を中扉６０に固着できるものである。最後に中扉６０に固着された本体枠４にカバー５を組付けることにより支持部材２の設置が完了する。
【００２７】
前述したように中扉６０の左右端部に配設した支持部材２に巻き掛けて取付けられた冷温情報表示体１はディスプレイ台７０に展示された商品見本８０の背後に配設されており、その商品見本８０の冷温状態、例えば図１における中段のディスプレイ台７０に展示された１０個の商品見本８０のうち、左側５個の商品見本群が冷蔵状態の商品に対応し、右側５個の商品見本群が温蔵状態の商品に対応するものとした場合、冷温情報表示体１は青色と赤色の冷温情報の境界区域が左右５個ずつの商品見本群の間に位置するように調整される。この調整は中扉６０を開放した状態において支持部材２のカバー５の開口部５Ａを介して冷温情報表示体１を手動操作によって周回させることにより調整される。この場合、カバー５に人差指、中指、薬指および小指を添えて親指により冷温情報表示体１を周回させれば冷温情報表示体１の調整を行う際の手動操作を安定して行うことができる。
【００２８】
前述した説明ではディスプレイ台７０に載置された複数の商品見本８０の冷温状態が左右に区分（例えば、１０個の商品見本の半分ずつに区分）される場合について説明したが、冷温情報表示体１における冷温情報を表す色彩（青色および赤色）は冷温情報表示体１の半周ごとに区分して印刷されていることからディスプレイ台７０に載置された全ての商品見本群を冷蔵状態、または温蔵状態とした場合にも対応できるものである。
【００２９】
前述したように調整された冷温情報表示体１によって商品見本の背景色を商品見本群ごとに冷蔵状態を表す青色または温蔵状態を表す赤色に彩ることにより冷温状態を強調でき、また、遠方からでも冷温状態を把握することができるように表示することによって人目を惹き付けて販売促進に寄与する。なお、季節の変わり目ごとに行われる庫内商品の冷蔵、温蔵状態の変更に伴って商品見本群の冷温状態が変更される場合における冷温情報表示体１の調整（変更）操作は前述した調整と同一であることからここではその説明を省略する。
【００３０】
前記実施の形態においては支持部材２の軸部３に冷温情報表示体１を巻き掛けるとともに冷温情報表示体１を指で周回させるものとして説明したが、これに限るものではない。例えば、支持部材２の軸部３としてドラムの周囲に複数の突起（歯）を形成するとともに冷温情報表示体１に前記突起（歯）と噛み合う係合孔を穿孔しておき、ドラムから上下に突出するシャフトを手動により回動させるようにすることもできる。この場合には冷温情報表示体１に触れることなく冷温情報表示体１を周回させることができる。
【００３１】
また、前記実施の形態においては冷温情報表示体１を環状に形成したものについて説明したが、冷温情報表示体１の両端を巻取りドラムに係止して当該巻取りドラムに巻取るように構成することができるものである。この場合、中扉６の左右端部にそれぞれ冷温情報表示体１を巻き付けた巻取りドラムを配設し、商品見本の背景色を変更する際には一方の巻取りドラムを回転させることにより背景色を変更することができる。また、巻取りドラムを回転させることにより冷温情報表示体１を巻取ることができるので冷温情報表示体１に手を触れることなく冷温情報表示体１を移動させることができるものである。
【００３２】
さらに前記実施の形態においては支持部材２を商品見本群ごとに個別に中扉６０に固着するものについて説明したが、これに限るものではない。例えば、ディスプレイ室に配設される上下方向３段のディスプレイ台７０の間隔は商品見本の長さ（背の高さ）寸法により変更される。図１の例では上段および中段のディスプレイ台７０に背の高い商品見本８０と背の低い商品見本を混合し、下段のディスプレイ台７０に背の低い商品見本８０に統一して載置しているが、背の高い商品見本８０と背の低い商品見本８０の混合したものを下段および中段に、背の低い商品見本８０に統一したものを上段とする機種もある。このため、支持部材２を商品見本群ごとに個別に設置する場合には機種ごとに支持部材２の設置位置を変えねばならないので製造コストが高くなる。そこで、支持部材２を上下方向に移動自在とし、ディスプレイ台の配設位置の異なる機種に応じて支持部材２の高さ位置を調節することができるようにすることにより製造コストの低減が図れるものである。
【００３３】
（実施の形態２）
図３乃至図５は本発明の実施の形態２の自動販売機を示し、図３、図５はその主要部であるディスプレイ台が配設された中扉６０を示す斜視図、図４は図３に示す冷温情報表示体とその支持部材およびベース部材を示す分解斜視図である。なお、この実施の形態２の図中で図１、図２に対応する部材には同一の符号を付してその詳細な説明は省略する。
【００３４】
図３乃至図５に示す実施の形態２の自動販売機が図１、図２に示す実施の形態１の自動販売機と相違する点はベース部材６を付加した点であり、その他の構成は同一である。前記ベース部材６は上下方向に延在する薄板鋼板からなり、中扉６０の表面に塗布された塗料（白色のペイント）と同一の塗料により塗装されている。前記ベース部材６は中扉６０にねじにより固着されている。また、前記ベース部材６には、図４に示すように、上下方向に複数段のねじ穴６１が設けられている。このねじ穴６１は冷温情報表示体１が巻き掛けられる支持部材２を取付けるために、図２に示したねじ挿通穴４Ａ２に対応して設けたものである。
【００３５】
そして、ベース部材６における複数段のねじ穴６１はディスプレイ台７０の配設位置に対応して設けられている。すなわち、ディスプレイ室に配設される上下方向３段のディスプレイ台７０の間隔は商品見本の長さ（背の高さ）寸法により変更され、例えば図３の例（機種）では上段および中段のディスプレイ台７０に背の高い商品見本８０と背の低い商品見本を混合し、下段のディスプレイ台７０に背の低い商品見本８０に統一して載置され、図５の例（機種）では３段のディスプレイ台７０共に背の低い商品見本８０に統一して載置されており、図３と図５の機種ではディスプレイ台７０の設置位置が異なるために支持部材２の設置位置も異なる。そこで、前記ベース部材６の複数段のねじ穴６１は、複数種類の機種毎の支持部材２の取付位置に対応して設けられている。
【００３６】
前記冷温情報表示体１、支持部材２およびベース部材６の中扉６０への組付けは、中扉６０に左右一対のベース部材６を固着し、このベース部材６のねじ穴６１に支持部材２を取付ける。この支持部材２（冷温情報表示体１）のベース部材６への取付は、図１、図２に示した実施の形態１の自動販売機における支持部材２の中扉６０への取付けと同一であるので、ここではその説明を省略する。前述したように中扉６０に左右一対のベース部材６を取付けることによって、中扉６０に支持部材２の取付穴を穿孔する必要がなくなる。したがって、中扉６０に支持部材２を直に取付けるものでは機種に応じて異なる位置に支持部材２の取付穴を穿孔せねばならないのに対し、ベース部材６を設けた場合には機種に応じて異なる位置に支持部材２の取付穴を穿孔する必要がないので中扉６０の製造コストを抑えることができる。
【００３７】
また、既存の自動販売機の冷温情報表示体１を付加して冷温情報表示体１によって商品見本の背景色を商品見本群ごとに冷蔵状態を表す青色または温蔵状態を表す赤色に彩ることにより冷温状態を強調したい場合にも、前記ベース部材６を用いることにより簡単に冷温情報表示体１を付加することができる。すなわち、前記ベース部材６は複数種類の異なる機種に対して共用できることから、前記ベース部材６を取付ける取付穴を中扉６０に追加加工するのみで支持部材２（冷温情報表示体１）を複数種類の異なる機種の自動販売機に取付けることができる。なお、中扉６０が鉄板により形成されている場合にはベース部材６に磁石を取付け、この磁石の吸着力でベース部材６を中扉６０に吸着保持するように構成することもできる。
【００３８】
（実施の形態３）
図６および図７は本発明の実施の形態３の自動販売機を示し、図６はその主要部であるディスプレイ台が配設された中扉６０を示す斜視図、図７は図６に示す広告表示部材を示し、（ａ）はその広告表示部材の斜視図、（ｂ）は広告表示部材を冷温情報表示体に装着した状態の斜視図である。なお、この実施の形態３の図中で図１、図２に対応する部材には同一の符号を付してその詳細な説明は省略する。
【００３９】
図６および図７に示す実施の形態３の自動販売機が図１、図２に示す実施の形態１の自動販売機と相違する点は広告表示部材７を付加した点であり、その他の構成は同一である。前記広告表示部材７は広告対象の商品、例えば新発売の商品，割引商品などの販売を促進するためのものであり、可撓性を有する薄いプラスチックにより形成され、この例ではその上方域の外形が星形に形成されている。この広告表示部材７には広告対象の商品を表す文字（図の例では「新商品」）や図柄または商品アピール用のキャッチコピーなどの広告表示が描かれている。図７（ａ）に示すように広告表示部材７の中央領域には左右方向に一対の係止片７Ａ，７Ａが一体に形成されている。この一対の係止片７Ａ，７Ａは広告表示部材７の一部を凹状に切り欠くことにより形成されており、係止片７Ａ，７Ａの自由端が前後に撓むように構成されている。
【００４０】
前記広告表示部材７は広告対象の商品の商品見本、つまり図６に示すようにディスプレイ台７０に載置された商品見本８０の背後に次のようにして設置される。すなわち、図７（ｂ）に示すように、前記広告表示部材７は冷温情報表示体１に係止片７Ａ，７Ａを挟みつけることにより装着される。このように冷温情報表示体１に装着することによって広告表示部材７は商品見本８０の背後に設置され、広告対象の商品の販売を促進する。前述したように広告表示部材７を冷温表示部材１に装着する際、広告対象の商品（商品見本）が背の低い商品見本８０の場合には当該背の低い商品見本８０の場所で広告表示部材７を冷温情報表示体１に設置すればよい。一方、背の高い商品見本８０が広告対象の商品の場合には背の低い商品見本８０の位置で広告表示部材７を冷温情報表示体１に装着した後、冷温情報表示体１を周回させて広告表示部材７を背の高い商品見本８０の背後に移動させればよい。なお、この場合には広告表示部材７を移動させる分だけ冷温情報表示体１を予め逆方向に周回させておくものとする。
【００４１】
図６および図７に示す実施の形態３に係る自動販売機においては、冷温情報表示体１によって商品見本８０の背景色を商品見本群ごとに冷蔵状態を表す青色または温蔵状態を表す赤色に彩ることにより冷温状態を強調でき、また、遠方からでも冷温状態を把握することができるように表示することによって人目を惹き付けて販売促進に寄与する効果に加え、ＰＯＰ広告（購買時点広告）によって広告対象の商品の購入を促進することができる。
【００４２】
（実施の形態４）
図８および図９は本発明の実施の形態４の自動販売機を示し、図８は冷温表示体および支持部材の斜視図、図９は図８に示す要部拡大斜視図である。なお、この実施の形態４の図中で図１、図２に対応する部材には同一の符号を付してその詳細な説明は省略する。
【００４３】
図８および図９に示した実施の形態４の自動販売機が図１、図２に示す実施の形態１の自動販売機と相違する点は冷温情報表示体１０１および支持部材２００に冷温情報表示体１０１のストッパ機構を設けた点であり、その他の構成は同一である。すなわち、冷温情報表示体１０１については、図１、図２に示す実施の形態１の冷温情報表示体１が環状に形成されるとともに２色（例えば青色と赤色）の印刷が施され、左右一対の支持部材２に掛け渡して取付けられているのに対し、この実施の形態４においては冷温情報表示体１０１がプラスチック材料の帯状体として成るとともに１色（例えば、赤色若しくは青色）の印刷が施されており、帯状体の一端が支持部材２００のドラム３Ａに固着されるとともにその先端（他端）に磁石１０２が設けられている点が異なる。
【００４４】
また、支持部材２００においては図２に示したように、軸部３，本体枠４，カバー５からなる点は基本的に同一であるが、それぞれ若干の変更を加えられている。すなわち、軸部３についてはドラム３Ａ（図２参照）の下方の端縁にシャフト３Ｂと平行に下方に延在するストッパピン（不図示）を植設した点、本体枠４については上下の軸受部（図２の軸受部４Ｂ）のうち、下側の軸受部４００に円形の軸受穴４０１を形成するとともに前記軸受穴４０１を中心とする同心円上であって９０°の回転角度ごとに嵌合孔４０２を形成した点、カバー５については中扉（図１参照）と対峙する縁部にそれぞれ上下一対の鉤形の係止爪５００（図８、図９では右端の上下一対の係止爪のみが見えている）を設けた点である。
【００４５】
つまり、この実施の形態４においては、図２に示した軸部３のドラム３Ａに帯状の冷温情報表示体１０１の一端が固着されてドラム３Ａに巻取り、引き出し可能に巻装されている。前記軸部３は支持部材２００における本体枠４の軸受部４００の軸受穴４０１により軸支され、ドラム３Ａの下方の端縁に植設したストッパピンが軸受部４００に形成した嵌合孔４０２（４個の嵌合孔４０２のうちの一つ）に嵌合することにより軸部３の回転を阻止している。また、前記ドラム３Ａに植設したストッパピンと軸受部４００に形成した嵌合孔４０２との係合により冷温情報表示体１０１の巻取り、若しくは引き出しが阻止されることから前記ストッパピンおよび嵌合孔４０２が冷温情報表示体１０１のストッパ機構を構成するものである。なお、前記ドラム３Ａに植設したストッパピンが軸受部４００に形成した嵌合孔４０２に係合した状態は軸部３の自重により維持することもできるが、振動などによりその係合状態が外れるのを防止するため、軸部３を下方に付勢する付勢手段（例えば、ドラム３Ａから上方に突出するシャフト３Ｂに装着したコイルばね）を設けるのが良い。
【００４６】
図８および図９に示した実施の形態４の自動販売機においては、中扉６０（図１参照）が磁性体材料（例えば、鉄板）により形成されているものである。また、前記中扉６０には、前記支持部材２００におけるカバー５に形成した鉤形の係止爪５００が貫通する係止孔（不図示）がその左右の何れか一方の端部側に予め形成されているものである。前記中扉６０への支持部材２００の組付けは、前記支持部材２００におけるカバー５に形成した係止爪５００を中扉６０の係止孔を貫通させて引っ掛けるのみで完了する。そして、冷温情報表示体１０１による冷温情報の表示はその先端を持って冷温情報表示体１０１を支持部材２００から引き出す。この場合、冷温情報表示体１０１のストッパ機構を解除、すなわち、ドラム３Ａの下方の端縁に植設したストッパピンが支持部材２００における本体枠４の軸受部４００に形成した嵌合孔４０２から抜け出すようにするため、ドラム３Ａから上方に突出するシャフト３Ｂを持って軸部３を若干上昇させておくものである。支持部材２００から引き出された冷温情報表示体１０１の先端がディスプレイ台７０に載置された複数の商品見本８０の冷温区分の境目に到達すると、ドラム３Ａのシャフト３Ｂから手を離して軸部３を下降させドラム３Ａの下方の端縁に植設したストッパピンを軸受部４００に形成した嵌合孔４０２の一つに嵌合させる。この状態で冷温情報表示体１０１の先端を反支持部材２００方向に引っ張りつつ、その先端に設けた磁石４０１を中扉６０に吸着させる。これにより冷温情報表示体１０１は垂れ下がることなくぴんと張った状態に維持される。
【００４７】
前述した実施の形態４においては冷温情報表示体１０１は中扉６０の左右の何れか一方の端部側に配設された支持部材２００から引き出すように構成されていることから、横幅の異なる複数種類の機種の自動販売機に共用することができるものである。なお、冷温情報表示体１０１には１色（例えば、赤色若しくは青色）の印刷のみが施されていることから、温蔵状態または冷蔵状態の商品見本群の背景のみを赤色または青色に表示することとなるが、冷温状態の何れをも表示したいという要求に対しては次のように対処することができる。すなわち、冷温情報表示体１０１に印刷された色（例えば、赤色）とは異なる色（例えば、青色）の印刷が施されてなるプラスチック材料からなる帯状体を用意するとともにその両端に磁石を設け、当該磁石を中扉６０に吸着させて帯状体を商品見本８０の背後に配設しておき、この帯状体の上に重なるように前述した冷温情報表示体１０１が引き出されるように構成すれば良い。
【００４８】
前述したように本発明によれば、本体キャビネット１０の庫内に商品を冷蔵、温蔵状態に区分して保存し、外扉２０の背面に開閉可能に取付けられた中扉６０により画成されたディスプレイ室５０を有し、当該ディスプレイ室５０に配設されたディスプレイ台７０に複数の商品見本８０を展示してなる自動販売機において、前記ディスプレイ室内に展示された商品見本８０の背後に配置され、前記商品見本群の冷温状態に対応した冷温情報（例えば、冷蔵状態を表す寒色の青、温蔵状態を表す暖色の赤）を表示する冷温情報表示体１を備え、前記冷温情報表示体１は帯状を成し、左右に移動自在に前記中扉６０の配設したことにより、季節の変わり目に庫内に保存される商品の冷蔵、温蔵状態を変更するのに伴って商品見本群の冷温状態が変更された際にも冷温情報表示体１を手動操作により左右に移動させることによって商品見本の背景色を変更された商品見本群の冷温状態に応じた背景色に簡単に変更することができるものである。
【産業上の利用可能性】
【００４９】
以上に説明した本発明に係る自動販売機は缶入り飲料、瓶入り飲料、ペットボトル入り飲料、紙パック入り飲料などの商品を販売するのに有用である。
【符号の説明】
【００５０】
１、１０１    冷温情報表示体
２、２００    支持部材
３    軸部
３Ａ    ドラム
３Ｂ    シャフト
４    本体枠
４Ａ    基部
４Ｂ、４００    軸受部
４Ｃ    ガイド
５    カバー
５Ａ    開口
６    ベース部材
７    広告表示部材
２０    外扉
５０    ディスプレイ室
６０    中扉
６１    ねじ穴
７０    ディスプレイ台
７Ａ    係止片
８０    商品見本
４０２    嵌合孔
５００    係止爪
【図１】
0005354003.tif 000002
【図２】
0005354003.tif 000003
【図３】
0005354003.tif 000004
【図４】
0005354003.tif 000005
【図５】
0005354003.tif 000006
【図６】
0005354003.tif 000007
【図７】
0005354003.tif 000008
【図８】
0005354003.tif 000009
【図９】
0005354003.tif 000010
【図１０】
0005354003.tif 000011
【図１１】
0005354003.tif 000012